(57)【要約】      （修正有）【課題】蛍光灯の利点を利用し照明装置として白熱電球の替りに蛍光灯を用い、反射板を付設して諸々の優れた効果や機能を発生させるようにした生鮮食料品保存ケースの照明装置を提供する。【解決手段】蛍光灯５の上面側を覆って反射率９５％以上の反射板６を設け、かつ全体を透明カバー７によって被包する。これにより蛍光灯の照度を大幅に向上させ、白熱電球に較べて極めて低い電力でほぼ同一の照度を得ることができ、結果として赤外線や紫外線をカットして生鮮食料品の劣化や焼けを防止する効果を上げることができる。また、蛍光灯は白熱電球よりも各種性能のものがあり、演色性（色温度）の適したものを用途に応じて自由に選定することができる。【選択図】図２
0003145726.tif 000002
【実用新案登録請求の範囲】
【請求項１】
生鮮食料品を保存するための商品ケースの照明装置であって、該装置は、前記商品ケースの内部を照明する蛍光灯又は発光灯と、該蛍光灯又は発光灯を覆って前記蛍光灯又は発光灯等に取り付け姿勢を可変に保持される反射板とからなり、前記反射板の反射率が、固設されている既設の反射部材より高いものからなることを特徴とする生鮮食料品保存ケースの照明装置。
【請求項２】
前記蛍光灯が、棒状のＬＥＤ発光灯、ＥＬ発光灯、セラミック発光灯からなることを特徴とする請求項１に記載の生鮮食料品保存ケースの照明装置。
【請求項３】
前記蛍光灯又は発光灯及び反射板が透明カバーによって被包されるものからなることを特徴とする請求項１に記載の生鮮食料品保存ケースの照明装置。
【請求項４】
前記蛍光灯又は発光灯及び反射板及び透明カバーが全体として上下動及び／又は回動可能に固定側に支持されるものからなることを特徴とする請求項３に記載の生鮮食料品保存ケースの照明装置。
【請求項５】
前記透明カバーが、赤外線及び／又は紫外線をカット又は吸収するフィルム付着処理又はコーティング処理されたものからなることを特徴とする請求項３又は４に記載の生鮮食料品保存ケースの照明装置。
【考案の詳細な説明】
【技術分野】
【０００１】  本考案は、マグロ等の鮮魚，肉，野菜等の生鮮食料品を保存するケースの照明装置に係り、特に省エネ，焼け防止，発光効率向上，保安性，耐久性向上、演色性向上等の優れた効果のある生鮮食料品保存ケースの照明装置に関する。
【背景技術】
【０００２】  生鮮食料品を保存又は貯蔵する商品ケースとしては図５に示すものが通常使用されている。この商品ケース１内に設けられている段２上には図略の生鮮食料品が配設されて保存されるが、この生鮮食料品を外部より好鮮度に見せるために、照明灯３が商品ケース１の外側上方に配置されている。この照明灯３としては通常、白熱電球が使用されている。一例としてこの白熱電球は１５０Ｗのものを１３灯も必要とし全体として１９５０Ｗの電力を必要としている。
また、商品ケースに関する公知技術の１つとして、例えば、「特許文献１」が挙げられる。
【特許文献１】特開２００１−１８３０５６号（図１）
【考案の開示】
【考案が解決しようとする課題】
【０００３】  「特許文献１」の「特開２００１−１８３０５６号」の「低温ショーケース」はその図（１）に示すような構造のものからなり、その照明装置（１３）としては明細書に明示されていないが前記のように白熱電球が使用されているものと思われる。【０００４】  白熱電球は強い放射熱を発するものであり、この熱によって例えば、マグロ等の鮮魚の色が焼け、赤身の美観を損なう問題点が生じる。また、赤外線や紫外線の発生によって商品劣化が生ずる問題点もあった。更に、白熱電球の電球寿命も定格２０００時と短く、球切れやそれに伴うメンテナンス頻度が高い問題点がある。また、白熱電球はそれ自体として照度が低く多数個設ける必要があり、電力が必要になる。
一方、蛍光灯は白熱電球に較べて省エネ効果があり、定格寿命も例えば１２０００時と長い等の利点を有するものであるが、白熱電球に較べてそれ自体として照度が低く、特に商品ケースのような低温場所で使用される場合に減光する問題点がある。【０００５】  本考案は、蛍光灯の利点を利用し照明装置として白熱電球の替りに蛍光灯を用い、その前記欠点を補償すべく反射板を付設して諸々の優れた効果や機能を発生させるようにした生鮮食料品保存ケースの照明装置を提供することを目的とする。
【課題を解決するための手段】
【０００６】  本考案は、以上の目的を達成するために、請求項１の考案は、生鮮食料品を保存するための商品ケースの照明装置であって、該装置は、前記商品ケースの内部を照明する蛍光灯又は発光灯と、該蛍光灯又は発光灯を覆って前記蛍光灯又は発光灯等に取り付け姿勢を可変に保持される反射板とからなり、前記反射板の反射率が、固設されている既設の反射部材より高いものからなることを特徴とする。【０００７】  また、請求項２の考案は、前記蛍光灯が、棒状のＬＥＤ発光灯、ＥＬ発光灯、セラミック発光灯からなることを特徴とする。【０００８】  また、請求項３の考案は、前記蛍光灯又は発光灯及び反射板が透明カバーによって被包されるものからなることを特徴とする。【０００９】  また、請求項４の考案は、前記蛍光灯又は発光灯及び反射板及び透明カバーが全体として上下動及び／又は回動可能に固定側に支持されるものからなることを特徴とする。【００１０】  また、請求項５の考案は、前記透明カバーが、赤外線及び／又は紫外線をカット又は吸収するフィルム付着処理又はコーティング処理されたものからなることを特徴とする。
【考案の効果】
【００１１】  本考案の請求項１の生鮮食料品保存ケースの照明装置によれば、蛍光灯の上方側に反射率の高い（９５％以上）反射板を配置することにより、蛍光灯の照度を大幅に向上させ、白熱電球に較べて極めて低い電力でほぼ同一の照度を得ることができ、結果として赤外線や紫外線をカットして生鮮食料品の劣化や焼けを防止する効果を上げることができる。また、蛍光灯は白熱電球よりも各種性能のものがあり、演色性（色温度）の適したものを用途に応じて自由に選定することができる。【００１２】  また、本考案の請求項２の生鮮食料品保存ケースの照明装置によれば、蛍光灯としては目的に応じて各種のものが自由に選択でき選択の幅の拡大ができる。【００１３】  また、本考案の請求項３の生鮮食料品保存ケースの照明装置によれば、透明カバーを設けることにより蛍光灯や反射板の汚れ防止や水分付着による漏電等を防止し、かつ保安性，メンテナンス性の確保と向上を図り高寿命化の効果を上げることができる。【００１４】  また、本考案の請求項４の生鮮食料品保存ケースの照明装置によれば、本考案の照明装置を全体として上下動や回動可能にすることにより、商品ケース側への光を最も効果的な位置に向けることができ、照明性の大幅の向上が図れる。【００１５】  また、本考案の請求項５の生鮮食料品保存ケースの照明装置によれば、透明カバーに赤外線や紫外線をカット又は吸収するフィルムやコーティングを施すことにより、より一層の効果を上げることができる。
【考案を実施するための最良の形態】
【００１６】  以下、本考案の生鮮食料品保存ケースの照明装置の実施の形態を図面を参照して詳述する。
図１は本考案の生鮮食料品保存ケースの照明装置１００（以下、照明装置１００と省称する）と、これを配置した商品ケース１を示す。【００１７】  商品ケース１は密封容器からなるケース本体４とケース本体４内に形成される段２（上段２ａ，中段２ｂ，下段２ｃ）等とからなり、各段２ａ，２ｂ，２ｃには図略の生鮮食料品が配列されている。【００１８】  一方、照明装置１００は商品ケースの上部からオーバハングされている支持体９の先端側に配列されている。
この照明装置１００は後に詳細に説明する照明機構部１００Ａとこれを上下動及び回動するための移動機構部等とからなる。なお、この移動機構部の構造については公知技術の適用であり、その説明を省略する。【００１９】  図２は、本考案の照明機構部１００Ａの構造を示すものである。
照明機構部１００Ａは蛍光灯５と、反射板６と透明カバー７等とからなる。なお、蛍光灯５は本実施例では２個の柱体を有するものからなり、その内容，構造については公知技術の適用であり、構造説明を省略する。但し、前記のように本実施例では白熱電球（１５０Ｗ×１３灯）に対応するものとして（３２Ｗ×８灯）の省エネ・演色タイプの蛍光灯を使用しているが、勿論、これに限定するものではない。【００２０】  図３（ａ），（ｂ）は反射板６を示し、図４（ａ），（ｂ）は透明カバー７を示す。
反射板６は蛍光灯５の上方側において柱体に着脱可能に装着されるものからなり、板部６ａと柱体に装着するための保持具６ｂとからなる。この板部６ａは図２に示すように柱体の上方を覆って配設されるものであるが、蛍光灯５の光を商品ケース１側に向けるように傾斜してセットされることが望ましい。
板部６ａの材質や形状は特に限定するものではないが、板部６ａは、従来の蛍光灯装置に設けられている反射部材の反射率よりも高い、例えば、反射率９０％以上のアルミニュウム板等が一例として採用される。また、図３には明示されていないが、板部６ａは円滑な半弧状体でなくてもよく、強度保持のため段部を形成するものでもよい。また、保持具６ｂは蛍光灯５の柱体を把持する形状のものであればよく、例えば、図２及び図３に示すように二股状のバネ性のものが適用される。【００２１】  一方、透明カバー７は、蛍光灯５や反射板６の全体を被包するものであり、例えば、透明のアクリル樹脂が使用されるが、勿論これに限定するものではない。また、透明カバー７の内面又は外面には、赤外線や紫外線をカット又は吸収するための略透明のフィルム又はコーティング（フィルム等８と仮称する）が施されているが、勿論これに限定するものではない。【００２２】  以上の構造の照明装置１００を図１に示すように配置することにより商品ケース１内の生鮮食料品は照光されるが、反射板６を用いることにより蛍光灯５の照度が大幅に向上し、少量の蛍光灯５で白熱電球と同一又はそれ以上の照度を上げることができる。【００２３】  以上により、省エネ，高照度の効果が上げられると共に、生鮮食料品の焼けや劣化もなく、鮮度保持の効果が上げられる。また、透明カバーにより汚れ防止水（湿気）による漏電が防止され、保安性やメンテナンス性の向上を図ることができる。また、赤外線や紫外線のカットや吸収ができ、一例として９０％紫外線カットの効果を上げることができる。【００２４】  本考案は、以上の説明の内容のものからなるが、勿論、この説明の内容に限定するものではなく、同一技術的範疇のものが適用されることは勿論である。
【産業上の利用可能性】
【００２５】  本考案の照明装置１００は生鮮食料品を保存，貯蔵する商品ケースのすべてに適用され、その利用範囲は広い。また、生鮮食料品に限らず、保存表示されるその他のケースにも適用可能になる。
【図面の簡単な説明】
【００２６】
【図１】本考案の照明装置を伴った商品ケースを示す側面図。
【図２】本考案の照明装置の構成を説明するための断面図。
【図３】本考案の照明装置の反射板を示す模式的斜視図（ａ）及び（ａ）のＡ−Ａ線断面図。
【図４】本考案の照明装置の透明カバーを示す模式的斜視図（ａ）及び（ａ）のＢ−Ｂ線断面図。
【図５】従来の白熱電球を用いた商品ケースを示す側面図。
【符号の説明】
【００２７】１        商品ケース
２        段
２ａ      上段
２ｂ      中段
２ｃ      下段
３        照明灯
４        ケース本体
５        蛍光灯
６        反射板
６ａ      板部
６ｂ      保持具
７        透明カバー
８        フィルム又はコーティング（フィルム等）
９        支持体
１００    生鮮食料品保存ケースの照明装置
１００Ａ  照明機構部
【図１】
0003145726.tif 000003
【図２】
0003145726.tif 000004
【図３】
0003145726.tif 000005
【図４】
0003145726.tif 000006
【図５】
0003145726.tif 000007
【手続補正書】
【提出日】平成20年7月18日(2008.7.18)
【手続補正１】
【補正対象書類名】実用新案登録請求の範囲
【補正対象項目名】全文
【補正方法】変更
【補正の内容】
【実用新案登録請求の範囲】
【請求項１】
生鮮食料品を保存するための商品ケースの照明装置であって、該装置は、前記商品ケースの内部を照明する蛍光灯又は発光灯と、該蛍光灯又は発光灯を覆って前記蛍光灯又は発光灯等に取り付け姿勢を可変に保持される反射板とからなり、前記反射板の反射率が９５％とからなり、同一類似形状の照明装置に使用されている高反射白色塗装の反射板の反射率５６％より高いものからなることを特徴とする生鮮食料品保存ケースの照明装置。
【請求項２】
前記蛍光灯が、棒状のＬＥＤ発光灯、ＥＬ発光灯、セラミック発光灯からなることを特徴とする請求項１に記載の生鮮食料品保存ケースの照明装置。
【請求項３】
前記蛍光灯又は発光灯及び反射板が透明カバーによって被包されるものからなることを特徴とする請求項１に記載の生鮮食料品保存ケースの照明装置。
【請求項４】
前記蛍光灯又は発光灯及び反射板及び透明カバーが全体として上下動及び／又は回動可能に固定側に支持されるものからなることを特徴とする請求項３に記載の生鮮食料品保存ケースの照明装置。
【請求項５】
前記透明カバーが、赤外線及び／又は紫外線をカット又は吸収するフィルム付着処理又はコーティング処理されたものからなることを特徴とする請求項３又は４に記載の生鮮食料品保存ケースの照明装置。